(57)【要約】【課題】照明光の色ムラを無くし、均一な色合いの良好な照明光を得ることができると共に、光量を増加して効率的な照明を行うことができる。【解決手段】楕円の一部に略沿って形成されている反射面を有する反射部と、前記反射部内で前記楕円の第１の焦点近傍位置に配設されるＬＥＤランプとを備え、前記ＬＥＤランプの照明光の一部を前記楕円の第２の焦点に略集光して照明する照明体、及びその照明体を光源とする照明器具。【選択図】  図１
2004186106.tif 000002
【特許請求の範囲】
【請求項１】
楕円の一部に略沿って形成されている反射面を有する反射部と、該反射部内で該楕円の第１の焦点近傍位置に配設されるＬＥＤランプとを備え、該ＬＥＤランプの照明光の一部を該楕円の第２の焦点に略集光して照明することを特徴とする照明体。
【請求項２】
楕円の一部に略沿って形成されている反射面を有する反射部と、該反射部内で該楕円の第１の焦点近傍位置に配設されるＬＥＤランプとを備え、該ＬＥＤランプの照明光の一部を該楕円の第２の焦点に略集光して照明する照明体を光源とすることを特徴とする照明器具。
【発明の詳細な説明】
【０００１】
【発明の属する技術分野】
本発明は、主としてＬＥＤランプを光源とする照明に係り、色ムラが無い均一な照明光を得ることができる照明体及びその照明体を用いた照明器具に関する。
【０００２】
【従来の技術】
近年、ＬＥＤランプを光源とする照明器具が注目され、例えば建築物と一体化されたＬＥＤ光源の建築化照明器具等が提案されているが、ＬＥＤ光源の照明光は高い指向性を有し、例えば中心部分が青色光、周辺部分が黄色光のように色ムラを生ずるため、ＬＥＤ光源の照明器具に於いて照明光の色合いを均一化する技術が重要となる。
【０００３】
ＬＥＤ光源を用いた照明器具の照明光の色合いを均一化する技術が開示されている公知文献として特許文献１がある。特許文献１には、ＬＥＤランプを所定の指向方向で配設し、そのＬＥＤランプの前方に表面に微細な凹凸が形成された拡散板を設け、その拡散板でＬＥＤランプの照明光の色調を略均一化する照明器具が開示されている。
【０００４】
【特許文献１】特開２００１−２６６６０６号公報
【０００５】
【発明が解決しようとする課題】
ところで、照明器具に於いてはデザインや用途に応じて製品の多様性が強く要求され、それに応じて照明光の色合いを均一化することができる多様な技術が切望されている。また、光量を増加して効率的な照明を行えることは照明器具として極めて重要である。
【０００６】
本発明は上記課題に鑑み提案するものであって、主としてＬＥＤランプを光源とする照明に係り、照明光の色ムラを無くし、均一な色合いの良好な照明光を得ることができると共に、光量を増加して効率的な照明を行うことができる照明体及びその照明体を用いた照明器具を提供することを目的とする。
【０００７】
【課題を解決するための手段】
本発明の照明体は、楕円の一部に略沿って形成されている反射面を有する反射部と、該反射部内で該楕円の第１の焦点近傍位置に配設されるＬＥＤランプとを備え、該ＬＥＤランプの照明光の一部を該楕円の第２の焦点に略集光して照明することを特徴とする。前記構成により、例えば正面光軸方向が青色、側方近傍が黄色などのＬＥＤの照明光を第２の焦点で略収斂して混色し、照明光の白色化を図る等、照明光の色ムラを無くして均一な色合いの良好な照明光を得ることができ、又、前記集光により、所望方向への光量を増加することが可能となり、光を有効利用して効率的な照明を行うことができる。
【０００８】
例えば楕円の長径の略端部から長径の長さの略１／４、略１／３、略半分程度などの高さを有し、前記楕円面に略沿って形成されている反射面を有する反射部と、前記反射面の幅狭の開口近傍など前記楕円の第１の焦点近傍位置にＬＥＤランプとを設け、前記ＬＥＤランプは前記反射面の幅広の開口中心に向けて明るさ強度が最大となる正面光軸を設定して配設し、前記ＬＥＤランプの照明光の一部を反射面で反射し、前記楕円の第２の焦点に略集光する。
【０００９】
尚、第１の焦点近傍に配設するＬＥＤランプは適宜であるが、例えば前記楕円と略同一の楕円配光特性を有して楕円相互が略合致するように配設するＬＥＤランプ等とし、所望指向方向への光量をより強めるようにしても良好であり、又、例えば略円配光特性或いは円形に近い楕円配光特性を有するＬＥＤランプ等とし、集光による混色効果を高めるようにしても良好である。
【００１０】
また、本発明の照明器具は、楕円の一部に略沿って形成されている反射面を有する反射部と、該反射部内で該楕円の第１の焦点近傍位置に配設されるＬＥＤランプとを備え、該ＬＥＤランプの照明光の一部を該楕円の第２の焦点に略集光して照明する照明体を光源とすることを特徴とする。
【００１１】
【発明の実施の形態】
以下では、本発明の照明体及び照明器具について図に於ける具体的な実施形態に基づき説明する。図１は第１実施形態の照明体を示す縦断側面図である。
【００１２】
第１実施形態の照明体１は、図１に示すように、反射部を構成する筐体２を有し、筐体２の略中央位置には側面視凹形のＬＥＤ取付部３が形成されている。前記凹形のＬＥＤ取付部３の上方には、図示の楕円Ｃの形状に略沿った形状の反射面４が左右両側に対称して設けられ、前記反射面４は楕円Ｃの概略下端部から長軸の略１／３程度の高さに形成されている。前記筐体２、ＬＥＤ取付部３、反射面４は、紙面垂直方向の長手方向に対し略同一形状で形成されているが、例えば反射面４を楕円Ｃの形状の楕円体に略沿って形成する等、平面視で略円形に形成してもよい。
【００１３】
尚、反射面４の高さは、通常は楕円Ｃの概略下端部から長軸の略半分程度の高さ、即ち、略半楕円形を限度に形成されているが、照明体１を用いる照明器具の用途に応じて、例えば概略下端部から長軸の略２／３、略３／４程度の高さとするなど適宜の高さに設定して形成することが可能であり、反射面４は楕円Ｃの形状の適宜の一部に略沿って形成することが可能である。
【００１４】
前記ＬＥＤ取付部３にはＬＥＤ基板６を介してＬＥＤランプ５が設けられ、ＬＥＤランプ５は、反射面４の上端位置である筐体２の幅広開口に向けられ、その正面光軸を筐体２の中心軸に一致して配設されていると共に、楕円Ｃの第１の焦点Ｆ１に略位置するように配置されている。前記ＬＥＤランプ５は長手方向に沿って複数並設され、図に省略した配線及び回路構造により点灯・消灯するようになっているが、例えば平面視で略円形に形成された筐体に単数で設ける構成等としてもよい。
【００１５】
そして、ＬＥＤランプ５を点灯するとＬＥＤランプ５の指向性に応じて照明光が得られるが、ＬＥＤランプ５の照明光の一部は、楕円Ｃの一部の形状に略沿って形成されている左右の反射面４・４で反射され、楕円Ｃの第２の焦点Ｆ２に略集光されることになる。前記略集光により、例えば正面光軸方向が青色、側方近傍が黄色などのＬＥＤの照明光を第２の焦点Ｆ２で混色し、照明光の白色化を図る等、照明光の色ムラを無くして均一な色合いの良好な照明光を得ることが可能になると共に、ＬＥＤランプ５の正面光軸方向など所望方向への光量を増加することができる。従って、照明体１或いは照明体１を光源とする照明器具は、均一な色合いの良好な照明を行うものとなり、又、高い照明効率を発揮することができる。
【００１６】
また、本発明の照明体及び照明体を用いる照明器具は上記第１実施形態に限定されるものではなく、例えば図２に示す第２実施形態の照明体１ように、略箱形の筐体２のＬＥＤ取付部３にＬＥＤ基板６を介在してＬＥＤランプ５を配設し、楕円Ｃの長軸下端から略１／４程度の位置から略半分程度の位置までの楕円Ｃの形状に略沿った反射面４により、第１の焦点Ｆ１の略位置するＬＥＤランプ５の照明光の一部を第２の焦点Ｆ２に略集光する構成としてもよい。第２実施形態の他の基本構成は第１実施形態と同様である。
【００１７】
また、上記第１、第２実施形態では筐体２を反射部として説明したが、反射部は楕円の一部に略沿って形成されている反射面を有するものであれば、前記筐体２以外にも適宜である。また、ＬＥＤランプ５は第１焦点Ｆ１の位置に正確に配置すると好適であるが、第１焦点Ｆ１の近傍に配設し、第２焦点Ｆ２への集光効果が部分的に得られるものであれば本発明に包含される。
【００１８】
【発明の効果】
本発明の照明体或いはその照明体を光源とする照明器具を用いることにより、均一な色合いの良好な照明光を得ることができると共に、光量を増加して効率的な照明を行うことができる格別な効果を奏する。また、照明光の色合いを均一化する技術の多様化に寄与する。
【図面の簡単な説明】
【図１】第１実施形態の照明体を示す縦断側面図。
【図２】第２実施形態の照明体を示す縦断側面図。
【符号の説明】
１  照明体
２  筐体
４  反射面
５  ＬＥＤランプ
Ｃ  楕円
Ｆ１  第１焦点
Ｆ２  第２焦点
【図１】
2004186106.tif 000003
【図２】
2004186106.tif 000004